(57)【要約】【課題】撮影画像を適切なＳＮＳへ投稿すること。【解決手段】電子機器は、撮影画像を取得する画像取得手段と、撮影画像に関する関連情報に基づいて、複数のソーシャルネットワーキングサービスの中から少なくとも１つのソーシャルネットワーキングサービスを選択するＳＮＳ選択手段と、ＳＮＳ選択手段により選択されたソーシャルネットワーキングサービスに撮影画像を投稿する投稿手段と、を備える。【選択図】図２
2015220616.tif 000002
【特許請求の範囲】
【請求項１】
画像を取得する画像取得手段と、
前記画像に関する関連情報に基づいて、複数の画像投稿サービスの中から少なくとも１つの画像投稿サービスを選択する選択手段と、
前記選択手段により選択された画像投稿サービスに前記画像を投稿する投稿手段と、
を備えることを特徴とする電子機器。
【請求項２】
請求項１に記載の電子機器において、
前記選択手段により選択された画像投稿サービスに応じた構図を決定する構図決定手段と、
前記構図決定手段により決定された構図を示す構図情報を表示部に表示する構図表示手段と、
をさらに備えることを特徴とする電子機器。
【請求項３】
請求項２に記載の電子機器において、
前記画像から前記構図情報に応じた範囲の画像を切り出す画像処理手段をさらに備え、
前記投稿手段は、前記画像処理手段により切り出された画像を、前記選択手段により選択された画像投稿サービスに投稿することを特徴とする電子機器。
【請求項４】
請求項２または３に記載の電子機器において、
前記構図決定手段は、前記選択手段により選択された画像投稿サービスのジャンル、前記画像投稿サービスに対応する画像のアスペクト比、前記画像投稿サービスが提供するＷｅｂサイトのスクロール方向の少なくとも１つに基づいて前記構図を決定することを特徴とする電子機器。
【請求項５】
請求項１〜４のいずれか一項に記載の電子機器において、
前記関連情報は、前記画像が撮影されたときの撮影情報であり、
前記選択手段は、前記撮影情報に応じたジャンルの画像投稿サービスを選択することを特徴とする電子機器。
【請求項６】
請求項５に記載の電子機器において、
前記選択手段は、画像投稿サービスおけるユーザのアカウント情報に対応付けられたジャンル情報を取得し、前記ジャンル情報を用いて、前記撮影情報に応じたジャンルの画像投稿サービスを選択することを特徴とする電子機器。
【請求項７】
請求項１〜４のいずれか一項に記載の電子機器において、
前記関連情報は、前記画像が撮影されたときの撮影装置の姿勢を示す情報であり、
前記選択手段は、前記画像における撮影時の撮影装置の姿勢と前記画像投稿サービスが提供するＷｅｂサイトにおけるスクロール方向とに基づいて、前記画像を投稿する画像投稿サービスを選択することを特徴とする電子機器。
【請求項８】
請求項１〜４のいずれか一項に記載の電子機器において、
前記関連情報は、画像のファイル形式、画像サイズ、露出モード、特殊撮影情報、撮影位置および画像が動画像である場合は当該動画像の長さの少なくとも１つを示す情報であることを特徴とする電子機器。
【請求項９】
請求項１〜８のいずれか一項に記載の電子機器において、
前記画像を所定の基準に基づいて評価する評価手段と、
前記評価手段による評価結果が所定以下である場合には、前記投稿手段が前記画像を前記画像投稿サービスへ投稿しないように制御する制御手段と、
をさらに備えることを特徴とする電子機器。
【請求項１０】
請求項１〜９のいずれか一項に記載の電子機器において、
前記複数の画像投稿サービスの一覧を表示部に表示する一覧表示手段をさらに備え、
前記一覧表示手段は、前記選択手段によって選択された画像投稿サービスを優先的に表示し、
前記投稿手段は、前記複数の画像投稿サービスのうち、ユーザ操作により指定された画像投稿サービスに前記画像を投稿することを特徴とする電子機器。
【発明の詳細な説明】
【技術分野】
【０００１】
本発明は、電子機器に関する。
【背景技術】
【０００２】
近年、インターネットを利用したいわゆるソーシャルネットワーキングサービス（ＳＮＳ）に、カメラで撮影した撮影画像を投稿することが行われている。また、撮影画像を後でＳＮＳへ投稿（アップロード）しようとした場合に、アップロードするタイミングを逃すことのないように、撮影シーンに応じて撮影画像をアップロードするタイミングを制御する情報端末装置が知られている（特許文献１参照）。
【先行技術文献】
【特許文献】
【０００３】
【特許文献１】特開２０１２−１９９８１１号公報
【発明の概要】
【発明が解決しようとする課題】
【０００４】
近年、ＳＮＳの数は増加しており、ユーザは、多くのＳＮＳの中で、どのＳＮＳに撮影画像を投稿してよいかわからなかったり、撮影画像に適したＳＮＳがわからなかったりして、撮影画像を適切なＳＮＳへ投稿することが難しい場合があった。
【課題を解決するための手段】
【０００５】
請求項１に記載の電子機器は、画像を取得する画像取得手段と、画像に関する関連情報に基づいて、複数の画像投稿サービスの中から少なくとも１つの画像投稿サービスを選択する選択手段と、選択手段により選択された画像投稿サービスに画像を投稿する投稿手段と、を備えることを特徴とする。
【発明の効果】
【０００６】
本発明によれば、撮影画像を適切なＳＮＳへ投稿することができる。
【図面の簡単な説明】
【０００７】
【図１】本発明の一実施の形態によるカメラと、カメラを用いて利用するＳＮＳシステムとを含む全体構成を例示する図である。
【図２】カメラの要部構成を例示するブロック図である
【図３】ＳＮＳへ投稿する撮影画像の選択画面を例示する図である。
【図４】ＳＮＳの一覧表示画面を例示する図である。
【図５】撮影シーンに基づいてＳＮＳを選択する例を説明する図である。
【図６】撮影時のカメラの姿勢に基づいてＳＮＳを選択する例を説明する図である。
【図７】ＳＮＳの一覧表示画面を例示する図である。
【図８】ＳＮＳ投稿処理の流れを説明するフローチャートである。
【図９】静止画撮影処理の流れを説明するフローチャートである。
【図１０】ＳＮＳアイコンを表示した表示画面の一例を示す図である。
【図１１】構図枠を表示した表示画面の一例を示す図である。
【図１２】投稿用画像の一例を示す図である。
【発明を実施するための形態】
【０００８】
以下、図面を参照して本発明を実施するための形態について説明する。図１は、本発明の一実施の形態によるカメラ２０と、カメラ２０を用いて利用するＳＮＳシステム１０とを含む全体構成を例示する図である。ＳＮＳシステム１０は、ソーシャルネットワーキングサービス（ＳＮＳ）を提供するシステムであり、例えば、画像投稿サービスなどがある。なお、本実施形態において、ＳＮＳとは、インターネットを利用してソーシャルネットワークを構築するサービスのことであり、コミュニティ型の会員制サービスのほか、ブログや電子掲示板などコミュニケーション機能を有するＷｅｂサイトを含むものとする。カメラ２０は、無線ＬＡＮ(Local Area Network)のアクセスポイント１８を介してネットワーク１６に接続し、ネットワーク１６に接続されたＳＮＳシステム１０にアクセスすることができる。アクセスポイント１８は、公共施設やユーザ宅などに設置される。
【０００９】
ネットワーク１６には、複数のＳＮＳシステム１０が接続されている。カメラ２０は、アクセスポイント１８およびネットワーク１６を介して、これら複数のＳＮＳシステム１０がそれぞれ提供する複数のＳＮＳを利用可能である。
【００１０】
ＳＮＳシステム１０のサーバ１２は、記憶装置、データ処理装置、およびネットワーク１６との間の通信制御装置等によって構成され、ＳＮＳの運営に必要なデータ等を管理する。なお、図１では、ＳＮＳシステム１０の機能が一式のサーバ１２によって実現する例を示しているが、複数台のサーバに機能を分担させる分散構成にしてもよい。
【００１１】
＜カメラ＞
図２は、カメラ２０の要部構成を例示するブロック図である。カメラ２０は、撮影光学系４１、撮像素子４２、制御部４３、表示部４４、操作部４６、フラッシュメモリ４７、通信部４８、位置検出部４９ａ、および姿勢検出部４９ｂを備える。また、カメラ２０には、着脱可能なメモリカード４５が装着される。
【００１２】
撮影光学系４１は、撮像素子４２の撮像面に被写体像を結像させる。なお図２では、撮影光学系４１を１枚のレンズとして図示しているが、撮影光学系４１を複数のレンズにより構成してもよい。撮像素子４２は例えばＣＭＯＳやＣＣＤ等の撮像素子であり、撮影光学系４１により結像された被写体像を撮像して撮像信号を出力する。制御部４３は、カメラ２０の各部を制御する電子回路であり、ＣＰＵとその周辺回路とから構成される。不揮発性の記憶媒体であるフラッシュメモリ４７には、予め所定の制御プログラムが書き込まれている。制御部４３は、フラッシュメモリ４７から制御プログラムを読み込んで実行することにより、各部の制御を行う。
【００１３】
通信部４８は、たとえば国際標準規格であるＷｉＦｉ（Wireless Fidelity）認証に対応した無線通信方式によって、アクセスポイント１８との無線通信を行う。表示部４４は、液晶パネルを利用した表示装置である。
【００１４】
制御部４３は、撮像素子４２から出力された撮像信号に種々の画像処理を施して撮影画像データを作成し、表示部４４に表示したり、可搬性の記憶媒体であるメモリカード４５に格納したりする。また、制御部４３は、通信部４８を制御して、撮影画像データをＳＮＳシステム１０に送信する。
【００１５】
操作部４６は、シャッターボタン、録画ボタン、電源ボタン、メニューボタン等の種々の操作部材を有し、それら操作部材が操作されたことに応じて制御部４３に操作信号を出力する。制御部４３は、操作信号に応じて撮影を行ったり、表示部４４の表示内容を変化させたりする。なお、操作部４６は操作部材に限定されず、表示部４４上に配置されたタッチパネルをユーザが操作することで、制御部４３に操作信号を出力するようにしてもよい。
【００１６】
位置検出部４９ａは、たとえばＧＰＳ受信機からなり、カメラ２０の現在位置を検出する。姿勢検出部４９ｂは、例えば加速度センサ等により構成され、カメラ２０の姿勢を検出する。
【００１７】
操作部４６からの操作信号に応じて静止画撮影モードまたは動画撮影モードに設定されると、制御部４３は、撮像素子４２に所定のフレームレートでスルー画用の撮像処理を行わせ、撮像素子４２から時系列で得られる各フレーム画像から表示用のフレーム画像を生成して表示部４４に出力する。これによって表示部４４には、スルー画がリアルタイムで表示される。
【００１８】
また、制御部４３は、シャッターボタンが押下されて静止画の撮影が指示されると、撮像素子４２に静止画用の撮像処理を行わせ、撮像素子４２から取得した画像信号に対して所定の画像処理を行って静止画データを生成し、所定の方式による圧縮処理を行って、メモリカード４５に記録する。
【００１９】
また、制御部４３は、録画ボタンが押下されて動画の撮影開始が指示されると、撮像素子４２に動画用の撮像処理を開始させ、撮像素子４２から出力された各フレームの画像信号に対して所定の画像処理を行う。そして、制御部４３は、画像処理後の画像データをＭＰＥＧ形式やＭｏｔｉｏｎＪＰＥＧなどの圧縮画像データに圧縮し、その圧縮画像データをメモリカード４５に記録する。そして、再度録画ボタンが押下されて動画の撮影終了が指示されると、制御部４３は、動画の撮影終了時点までの圧縮画像データをメモリカード４５に記録し、動画ファイルを完成させる。
【００２０】
また、制御部４３は、撮影画像データ（静止画データまたは動画データ）を記録する際、当該撮影画像データに、当該撮影画像データに関するメタデータを付加して、メモリカード４５に記録する。メタデータには、例えば、撮影日時、撮影位置（ＧＰＳ情報）、撮影時のカメラ２０の姿勢、撮影シーン、画質設定（ファイル形式および画像サイズ）、露出モード、特殊撮影情報などが含まれる。
【００２１】
＜ＳＮＳ投稿機能＞
次に、カメラ２０により撮影された撮影画像をＳＮＳへ投稿する機能について説明する。近年、ＳＮＳとして、たとえば、ユーザが日記など日常のトピックを投稿するための日常系ＳＮＳや、特定のジャンルに適したＳＮＳ（たとえば、料理のレシピに適した料理レシピ用ＳＮＳ、写真に適した写真投稿用ＳＮＳ、ペットに適したペット用ＳＮＳ、動画に適した動画用ＳＮＳなど）といった種々のＳＮＳが知られている。カメラ２０では、このような種々のＳＮＳに撮影画像を投稿することができる。
【００２２】
カメラ２０には、撮影画像を投稿可能な複数のＳＮＳが登録されている。カメラ２０のフラッシュメモリ４７には、登録されたＳＮＳごとに、ＳＮＳシステム１０へ接続するためのアドレスとＳＮＳへログインするためのアカウント情報（ユーザＩＤ、パスワード、メールアドレスなど）とが対応付けられて記憶されている。カメラ２０は、これらの情報を用いて、ＳＮＳシステム１０に接続してＳＮＳへログインし、撮影画像を投稿する。
【００２３】
カメラ２０には、予めＳＮＳが登録されていてもよいし、ユーザが新たなＳＮＳを登録することも可能である。また、カメラ２０は、カメラ２０に記憶されているアカウント情報を用いて、そのアカウント情報に対応するユーザが会員となっているＳＮＳを検索し、カメラ２０に登録するようにしてもよい。また、カメラ２０に登録するＳＮＳが別のＳＮＳと連携している（ＳＮＳ間の連携を行っている）場合には、当該別のＳＮＳも合わせて登録するようにしてもよい。
【００２４】
以下、カメラ２０において、撮影画像をＳＮＳへ投稿する手順について説明する。
【００２５】
（１）ＳＮＳへ投稿する撮影画像の選択
まず、ユーザは、操作部４６を操作して、メモリカード４５に記録された撮影画像の中からＳＮＳへ投稿する撮影画像を選択する。具体的には、ユーザは、カメラ２０のメニュー画面において「ＷｉＦｉ転送」を選択し、「１枚選択」、「複数枚選択」、もしくは「日付選択」のいずれかを選択する。「１枚選択」の場合には撮影画像が１枚選択可能であり、「複数枚選択」の場合には撮影画像が複数枚選択可能である。「日付選択」の場合には、撮影画像を日付単位で選択可能である。カメラ２０の制御部４３は、たとえば、図３に示すように、投稿する撮影画像を選択するための選択画面を表示部４４に表示する。図３の選択画面には、たとえば、メモリカード４５に記録された複数の撮影画像Ｐ１〜Ｐ６がサムネイル表示される。ユーザは、操作部４６を操作して、表示部４４に表示された複数の撮影画像の中から、ＳＮＳへ投稿する撮影画像を選択する。
【００２６】
（２）ネットワーク１６への接続
カメラ２０は、たとえばＷｉＦｉ認証に対応した無線通信方式によりアクセスポイント１８を介してネットワーク１６へ接続し、ＳＮＳシステム１０と接続可能な状態とする。なお、ネットワーク１６への接続については既知の技術を適用すればよいので、詳細な説明は省略する。
【００２７】
（３）撮影画像をＳＮＳへ投稿
カメラ２０は、ユーザにより選択された撮影画像を、ネットワーク１６を介してＳＮＳシステム１０へ送信することで、ＳＮＳへの投稿を行う。本実施形態のカメラ２０には、撮影画像をＳＮＳへ投稿するための投稿モードとして、「手動モード」、「自動モード」、「半自動モード」の３種類のモードが設けられている。これらの投稿モードのうちいずれかの投稿モードが予め設定されていてもよいし、都度ユーザが投稿モードを選択するようにしてもよい。
【００２８】
（手動モード）
投稿モードが手動モードに設定されている場合、カメラ２０の制御部４３は、カメラ２０に登録されたＳＮＳの一覧を表示部４４に表示する。図４は、ＳＮＳの一覧を表示する表示画面の一例である。図４の表示画面では、カメラ２０に登録されたＳＮＳであるポートレート用ＳＮＳ、料理レシピ用ＳＮＳ、ペット用ＳＮＳのそれぞれの名称Ｎ１〜Ｎ３と、これらのＳＮＳを示すＳＮＳアイコンＳ１〜Ｓ３とが縦に並んで表示されている。なお、制御部４３は、カメラ２０に登録された全てのＳＮＳを一覧表示してもよいし、ユーザによって予め表示するように設定されたＳＮＳのみを一覧表示してもよい。ユーザは、操作部４６を操作して、表示部４４に一覧表示されたＳＮＳの中から、撮影画像を投稿するＳＮＳを選択する。なお、ユーザによりＳＮＳへ投稿する撮影画像が複数枚または日付単位で選択された場合には、選択された撮影画像をまとめて同じＳＮＳへ投稿するようにしてもよいし、各撮影画像について投稿するＳＮＳを選択してもよい。カメラ２０の制御部４３は、通信部４８を制御して、上記選択されたＳＮＳへ上記選択された撮影画像を投稿する。
【００２９】
（自動モード）
ユーザは、カメラ２０に登録されているＳＮＳのうち、どのＳＮＳに撮影画像を投稿してよいかわからなかったり、撮影画像に適したＳＮＳがわからなかったりする場合がある。そこで、カメラ２０には、撮影画像に適したＳＮＳをカメラ２０が自動で選択して、選択したＳＮＳへ撮影画像を自動で投稿する自動モードが設けられている。
【００３０】
投稿モードが自動モードに設定されている場合、カメラ２０の制御部４３は、上記選択された撮影画像のメタデータに基づいて、当該撮影画像を投稿するＳＮＳを自動で選択する。なお、ＳＮＳに投稿する撮影画像が複数枚または日付単位で選択された場合には、選択された各撮影画像について投稿するＳＮＳを自動で選択する。ＳＮＳの選択方法として、次の７通りの選択方法を例示する。
【００３１】
１．撮影画像の撮影シーンに基づいてＳＮＳを選択する
制御部４３は、メタデータに含まれる撮影シーンを参照して、撮影画像を投稿するＳＮＳを選択する。なお、撮影シーンとしては、例えば、人物、風景、ペット、料理、夜景、ビーチなどが挙げられる。また、撮影シーンは、ユーザが手動で設定したものであってもよいし、カメラ２０が撮影画像に基づいて自動判別したものであってもよい。図５は、撮影シーンに基づいたＳＮＳの選択例を説明する図である。制御部４３は、たとえば、撮影シーンが人物である撮影画像Ｐ２を投稿するＳＮＳとして、ポートレート用ＳＮＳを選択する。また、制御部４３は、たとえば、撮影シーンが料理である撮影画像Ｐ５を投稿するＳＮＳとして、料理レシピ用ＳＮＳを選択する。また、制御部４３は、たとえば、撮影シーンがペットである撮影画像Ｐ１を投稿するＳＮＳとして、ペット用ＳＮＳを選択する。このように制御部４３は、撮影画像の撮影シーンに応じたジャンルに適したＳＮＳを選択する。
【００３２】
なお、ＳＮＳを選択する際に用いるＳＮＳのジャンルについては、料理レシピ用ＳＮＳやペット用ＳＮＳなどのようにＳＮＳ自体のジャンルであってもよいし、ＳＮＳにおいてユーザのアカウント情報に対応付けられたジャンルを用いてもよい。たとえば、日常系ＳＮＳは、特定のジャンルに特化したＳＮＳではなく種々のジャンルに適したＳＮＳであるが、ユーザはこの日常系ＳＮＳに好みのジャンルを登録することができる。カメラ２０では、ユーザがこの日常系ＳＮＳのアカウント情報を登録した際に、合わせて好みのジャンルについても登録させ、ユーザのアカウント情報とユーザの好みのジャンルを示すジャンル情報とを対応付けてフラッシュメモリ４７に記憶しておく。たとえば、日常系ＳＮＳは、風景、料理、ペットといったジャンルに適しているとする。ユーザは、これらのジャンルの中から好みのジャンルを選択して、カメラ２０に登録する。ここで、ユーザがたとえば風景を選択した場合には、日常系ＳＮＳのアカウント情報にジャンル「風景」が対応付けられてカメラ２０のフラッシュメモリ４７に記憶される。カメラ２０の制御部４３は、撮影画像を投稿する際に、撮影シーンが風景や夜景、ビーチなど、風景に関連する撮影シーンである場合には、日常系ＳＮＳのアカウント情報にジャンル「風景」が対応付けられていることから、撮影画像を投稿するＳＮＳとして日常系ＳＮＳを選択する。このように制御部４３は、ＳＮＳにおけるユーザのアカウント情報に対応付けられたジャンル情報を取得し、ジャンル情報を用いて、撮影シーンに応じたジャンルのＳＮＳを選択する。
【００３３】
２．撮影画像における撮影時のカメラ２０の姿勢に基づいてＳＮＳを選択する
制御部４３は、メタデータに含まれる撮影時のカメラ２０の姿勢を参照して、撮影画像を投稿するＳＮＳを選択する。撮影時のカメラ２０の姿勢は、姿勢検出部４９ｂによって、横位置か縦位置かが検出される。図６は、撮影時のカメラ２０の姿勢に基づいたＳＮＳの選択例を説明する図である。制御部４３は、撮影時のカメラ２０の姿勢が横位置である（すなわち横長である）撮影画像Ｐ２を投稿するＳＮＳとして、たとえば、横スクロールのＷｅｂサイトを提供するＳＮＳを選択する。一方、制御部４３は、撮影時のカメラ２０の姿勢が縦位置である（すなわち縦長である）撮影画像Ｐ６を投稿するＳＮＳとして、たとえば、縦スクロールのＷｅｂサイトを提供するＳＮＳを選択する。
【００３４】
３．撮影画像の画質設定に基づいてＳＮＳを選択する
制御部４３は、メタデータに含まれる画質設定を参照して、撮影画像を投稿するＳＮＳを選択する。画質設定は、撮影画像を保存するファイル形式および撮影画像の画像サイズの設定である。カメラ２０において、撮影画像データを保存するファイル形式としては、ＲＡＷ形式、ＴＩＦＦ形式、ＪＰＥＧ形式が設定可能であり、さらにＪＰＥＧ形式では３段階の圧縮率（ＦＩＮＥ、ＮＯＲＭＡＬ、ＢＡＳＩＣ）が設定可能である。また、カメラ２０において、画像サイズとしては、画素数に応じた３種類のサイズ、Ｌサイズ（約１６メガピクセル相当）、Ｍサイズ（約９メガピクセル相当）、Ｓサイズ（約４メガピクセル相当）が設定可能である。制御部４３は、ファイル形式がＲＡＷ形式、ＴＩＦＦ形式、ＪＰＥＧ形式（ＦＩＮＥ）のいずれかであり、画像サイズがＬサイズである場合には、撮影画像を投稿するＳＮＳとして、写真投稿用ＳＮＳを選択する。一方、制御部４３は、ファイル形式がＪＰＥＧ形式（ＮＯＲＭＡＬ）またはＪＰＥＧ形式（ＢＡＳＩＣ）であり、画像サイズがＭサイズまたはＳサイズである場合には、撮影画像を投稿するＳＮＳとして、日常系ＳＮＳを選択する。このように制御部４３は、撮影画像の画質設定が比較的高画質である場合には、写真について専門的なＳＮＳを選択し、比較的低画質である場合にはジャンルが限定されていない一般的なＳＮＳを選択する。
【００３５】
４．撮影画像の露出設定に基づいてＳＮＳを選択する
制御部４３は、メタデータに含まれる露出設定を参照して、撮影画像を投稿するＳＮＳを選択する。露出設定は、撮影時の露出モードおよびＥＶ補正（露出補正）の設定である。カメラ２０において、露出モードとしては、ＡＵＴＯモード、Ｐモード、Ｓモード、Ａモード、Ｍモードが設定可能である。ＡＵＴＯモードは、カメラ２０が絞り値およびシャッタースピードをコントロールするモードである。Ｐモードはプログラムオートである。Ｓモードはシャッター優先オートである。Ａモードは絞り優先オートである。Ｍモードはマニュアル露出である。制御部４３は、露出モードがＡＵＴＯモードまたはＰモードである場合は、撮影画像を投稿するＳＮＳとして、日常系ＳＮＳを選択する。一方、制御部４３は、露出モードがＡモード、Ｓモード、Ｍモードである場合、またはこの他のモードであってもＥＶ補正が行われた場合には、撮影画像を投稿するＳＮＳとして、写真投稿用ＳＮＳを選択する。このように制御部４３は、撮影画像の露出モードが比較的専門家向けの設定である場合には、写真について専門的なＳＮＳを選択し、比較的初心者向けの設定である場合にはジャンルが限定されていない一般的なＳＮＳを選択する。
【００３６】
５．動画像の長さ（録画時間）に基づいてＳＮＳを選択する
カメラ２０において動画像を投稿可能なＳＮＳとして、たとえば６秒以下などの短時間の動画のみが投稿可能な短時間動画ＳＮＳと、長時間の動画が投稿可能な長時間動画ＳＮＳとがある。制御部４３は、動画像を投稿する場合には、動画像の長さに応じてＳＮＳを選択する。具体的には、制御部４３は、動画像が所定時間（たとえば６秒など）未満である場合には、動画像を投稿するＳＮＳとして短時間動画ＳＮＳを選択する。一方、制御部４３は、動画像が所定時間以上である場合には、動画像を投稿するＳＮＳとして長時間動画ＳＮＳを選択する。
【００３７】
６．撮影画像の特殊撮影情報に基づいてＳＮＳを選択する
カメラ２０は特殊な撮影を行う特殊撮影機能を有しており、どのような特殊撮影を行ったかを示す特殊撮影情報がメタデータに含まれる。特殊撮影機能としては、たとえば、エフェクトを施して画像を撮影するエフェクト機能や、インターバル撮影を行って取得した複数の静止画をつなげてタイムラプス動画を作成するタイムラプス機能、一部をスローモーション動画とするなど特殊な効果を付加して動画を撮影する動画効果機能などが挙げられる。制御部４３は、たとえば、撮影画像がエフェクト機能で撮影されている場合には、撮影画像を投稿するＳＮＳとして、個人表現に適した個人表現用ＳＮＳを選択する。また、制御部４３は、撮影画像がタイムラプス機能で撮影されている場合には、撮影画像を投稿するＳＮＳとして、動画に適した動画用ＳＮＳを選択する。また、制御部４３は、撮影画像が動画効果機能で撮影されている場合には、撮影画像を投稿するＳＮＳとして、動画に適した動画用ＳＮＳを選択する。
【００３８】
７．撮影画像の撮影位置（ＧＰＳ情報）に基づいてＳＮＳを選択する
制御部４３は、メタデータに含まれる撮影位置を参照して、撮影画像を投稿するＳＮＳを選択する。なお、撮影位置は、位置検出部４９ａにより撮影時に検出されたカメラ２０の位置である。制御部４３は、たとえば、撮影位置が観光地である場合には、撮影画像を投稿するＳＮＳとして、旅行に適した旅行用ＳＮＳを選択する。このように制御部４３は、撮影画像の撮影位置に応じたジャンルに適したＳＮＳを選択する。
【００３９】
また、制御部４３は、撮影位置と撮影シーンを両方参照して、撮影画像を投稿するＳＮＳを選択してもよい。制御部４３は、たとえば、撮影シーンが料理であり、且つ撮影位置が飲食店である場合には、撮影画像を投稿するＳＮＳとして、日常系ＳＮＳを選択する。また、制御部４３は、たとえば、撮影シーンが料理であり、且つ撮影位置が家またはキッチンスタジオである場合には、撮影画像を投稿するＳＮＳとして、料理レシピ用ＳＮＳを選択する。
【００４０】
なお、料理レシピ用ＳＮＳには、料理ができるまでの一連の流れを撮影した複数枚の撮影画像を１つのアルバムとしてまとめて投稿したい場合が考えられる。そこで、制御部４３は、投稿する撮影画像が複数枚または日付単位で選択され、料理レシピ用ＳＮＳが選択された場合には、複数枚の撮影画像を１つのアルバムとして、料理レシピ用ＳＮＳに自動で投稿するようにしてもよい。また、カメラ２０に、複数枚の撮影画像を１つのアルバムとして料理レシピ用ＳＮＳに投稿する専用のモードを設け、ユーザが所望に応じて選択できるようにしてもよい。
【００４１】
以上説明したＳＮＳの選択は、上記７通りの選択方法のうちいずれか１つの選択方法のみを用いるようにしてもよいし、２つ以上の選択方法を組み合わせて用いるようにしてもよい。特に上記７通りの選択方法のうち「１．撮影シーンに基づいてＳＮＳを選択する方法」と「２．撮影時のカメラ４０の姿勢に基づいてＳＮＳを選択する方法」についてはこの他の方法よりも優先的に用いるようにしてもよい。また、２つ以上の選択方法を組み合わせる場合、各選択方法に対応する条件をアンド条件としてＳＮＳを選択してもよいし、各選択方法に対応する条件をオア条件としてＳＮＳを選択してもよい。なお、撮影画像を投稿するＳＮＳは１つに絞る必要はなく、複数選択してもよい。
【００４２】
制御部４３は、通信部４８を制御して、以上の選択方法で選択したＳＮＳへ撮影画像を自動で投稿する。制御部４３は、ＳＮＳが複数選択されている場合には、複数のＳＮＳに対してそれぞれ撮影画像を投稿する。
【００４３】
また、制御部４３は、所定の基準に基づいて撮影画像に対する評価値を算出し、評価値が所定値よりも低い場合には、当該撮影画像を上記選択されたＳＮＳへ投稿しないようにしてもよい。上記所定の基準としては、たとえば顔認識、笑顔度、目つぶり、構図（フレームアウトなど）、像ぶれなどがある。たとえば、顔が認識されたり、笑顔度が高かったりするほど評価値を高くし、目つぶりやフレームアウト、像ぶれがあると評価値を低くする。
【００４４】
なお、制御部４３は、撮影画像の評価値が所定値よりも低い場合に必ずＳＮＳへの投稿を禁止するのではなく、特定のＳＮＳについては投稿を禁止し、この他のＳＮＳについては投稿を許可するようにしてもよい。制御部４３は、たとえば、撮影画像を投稿するＳＮＳとして写真投稿用ＳＮＳを選択した場合には、撮影画像の評価値が所定値よりも低いと、写真投稿用ＳＮＳへ撮影画像を投稿しないようにする。一方、制御部４３は、たとえば、撮影画像を投稿するＳＮＳとして日常系ＳＮＳを選択した場合には、撮影画像の評価値が所定値よりも低くても、日常系ＳＮＳへ撮影画像を投稿する。
【００４５】
（半自動モード）
カメラ２０には、撮影画像をＳＮＳへ投稿するための投稿モードとして、上述した「手動モード」、「自動モード」の他、「半自動モード」も設けられている。「半自動モード」では、カメラ２０が撮影画像の投稿先として推奨するＳＮＳを自動で選択してユーザに提示し、ユーザが撮影画像を投稿するＳＮＳを手動で選択するモードである。
【００４６】
投稿モードが半自動モードに設定されている場合、カメラ２０の制御部４３は、ユーザにより選択された撮影画像のメタデータに基づいて、当該撮影画像の投稿先として推奨するＳＮＳを自動で選択する。ＳＮＳの選択方法としては、上述した自動モードと同様の選択方法を用いればよい。
【００４７】
そして、制御部４３は、カメラ２０に登録されたＳＮＳの一覧を表示部４４に表示する。このとき制御部４３は、上記選択したＳＮＳ（撮影画像の投稿先として推奨するＳＮＳ）を優先的に表示する。上記選択したＳＮＳを優先的に表示する方法として、以下の２通りの方法を例示する。
【００４８】
１．上記選択したＳＮＳを他のＳＮＳと区別して表示する
制御部４３は、カメラ２０に登録されたＳＮＳを一覧表示するが、上記選択したＳＮＳについては、他のＳＮＳ（選択されていないＳＮＳ）と区別して表示する。図７は、この場合のＳＮＳの一覧表示画面の一例である。図７の一覧表示画面には、ＳＮＳに投稿する撮影画像Ｐ２に重畳して、カメラ２０に登録されたＳＮＳを表すＳＮＳアイコンＳ１〜Ｓ４が表示されている。図７において、ＳＮＳアイコンＳ１はポートレート用ＳＮＳを表し、ＳＮＳアイコンＳ２は料理レシピ用ＳＮＳを表し、ＳＮＳアイコンＳ３はペット用ＳＮＳを表し、ＳＮＳアイコンＳ４は写真投稿用ＳＮＳを表す。制御部４３は、撮影画像Ｐ２の撮影シーンが人物であることより、推奨のＳＮＳとしてポートレート用ＳＮＳを選択したとする。この場合、制御部４３は、ポートレート用ＳＮＳを表すＳＮＳアイコンＳ１を、他のＳＮＳアイコンＳ２〜Ｓ４と区別して表示する。図７では、ＳＮＳアイコンＳ１の左上に星マークＭが表示されることで、ＳＮＳアイコンＳ１が他のアイコンＳ２〜Ｓ４と区別されている。
【００４９】
なお、上記選択したＳＮＳを他のＳＮＳと区別して表示する方法は、図７で示した方法に限らない。たとえば、上記選択したＳＮＳを示すアイコンを枠などで囲って強調表示してもよいし、上記選択したＳＮＳを示すアイコンを、一覧表示の先頭（たとえば縦に並べている場合は一番上など）に配置するようにしてもよい。
【００５０】
２．上記選択したＳＮＳのみを一覧表示する
制御部４３は、上記選択したＳＮＳのみを表示部４４に一覧表示する。この場合、制御部４３は、上記選択したＳＮＳの中でも、撮影画像の投稿先として最も適しているＳＮＳを強調表示するようにしてもよいし、撮影画像の投稿先として適している順番に並べて表示してもよい。
【００５１】
以上説明したＳＮＳの一覧表示方法は、上記２通りの表示方法のうち、ユーザにより指定された表示方法を用いるようにしてもよいし、カメラ２０に登録されているＳＮＳの数によって変えるようにしてもよい。たとえば、カメラ２０に登録されているＳＮＳの数が多い場合には上記選択したＳＮＳのみを一覧表示し、カメラ２０に登録されているＳＮＳの数が少ない場合には上記選択したＳＮＳ以外のＳＮＳも含めて一覧表示し、上記選択したＳＮＳを区別して表示するようにしてもよい。
【００５２】
ユーザは、操作部４６を操作して、表示部４４に一覧表示されたＳＮＳの中から、撮影画像を投稿するＳＮＳを選択する。カメラ２０の制御部４３は、通信部４８を制御して、ユーザにより選択されたＳＮＳへ撮影画像を投稿する。
【００５３】
＜フローチャート＞
次に、上述した撮影画像をＳＮＳに投稿するＳＮＳ投稿処理の流れについて、図８に例示するフローチャートを参照して説明する。制御部４３は、ユーザ操作によりメニューの「ＷｉＦｉ転送」が選択されてＳＮＳに投稿する撮影画像が選択されると、ＳＮＳ投稿処理を実行するためのプログラムを起動して、図８に例示するＳＮＳ投稿処理を開始する。
【００５４】
ステップＳ１０において、制御部４３は、通信部４８を制御して、アクセスポイント１８を介してネットワーク１６へ接続し、ＳＮＳシステム１０と接続可能な状態とする。
【００５５】
ステップＳ２０において、制御部４３は、投稿モードが「手動モード」、「自動モード」、「半自動モード」のどれに設定されているかを判定する。制御部４３は、投稿モードが「手動モード」に設定されている場合はステップＳ３０へ進み、「自動モード」に設定されている場合はステップＳ４０へ進み、「半自動モード」に設定されている場合はステップＳ５０へ進む。
【００５６】
「手動モード」に設定されている場合に進むステップＳ３０において、制御部４３は、カメラ２０に登録されたＳＮＳの一覧を表示部４４に表示する。
【００５７】
ステップＳ３１において、制御部４３は、ユーザ操作により、表示部４４に一覧表示されたＳＮＳの中から撮影画像を投稿するＳＮＳが選択されたか否かを判定する。制御部４３は、ＳＮＳが選択されるまでステップＳ３１を否定判定してステップＳ３１の処理を繰り返し、ＳＮＳが選択されるとステップＳ３１を肯定判定してステップＳ３２へ進む。
【００５８】
ステップＳ３２において、制御部４３は、通信部４８を制御して、ユーザ操作により（すなわち手動で）選択されたＳＮＳへ撮影画像を投稿して、図８の処理を終了する。
【００５９】
「自動モード」に設定されている場合に進むステップＳ４０において、制御部４３は、上述した選択方法を用いて、撮影画像のメタデータに基づいて、撮影画像を投稿するＳＮＳを自動で選択する。
【００６０】
ステップＳ４１において、制御部４３は、通信部４８を制御して、ステップＳ４０で選択されたＳＮＳへ撮影画像を自動で投稿して、図８の処理を終了する。
【００６１】
「半自動モード」に設定されている場合に進むステップＳ５０において、制御部４３は、上述した選択方法を用いて、撮影画像のメタデータに基づいて、撮影画像の投稿先として推奨するＳＮＳを自動で選択する。
【００６２】
ステップＳ５１において、制御部４３は、ＳＮＳの一覧を表示部４４に表示する。このとき制御部４３は、上述した表示方法によって、ステップＳ５０で選択したＳＮＳを優先的に表示する。
【００６３】
ステップＳ５２において、制御部４３は、ユーザ操作により、表示部４４に一覧表示されたＳＮＳの中から撮影画像を投稿するＳＮＳが選択されたか否かを判定する。制御部４３は、ＳＮＳが選択されるまでステップＳ５２を否定判定してステップＳ５２の処理を繰り返し、ＳＮＳが選択されるとステップＳ５２を肯定判定してステップＳ５３へ進む。
【００６４】
ステップＳ５３において、制御部４３は、通信部４８を制御して、ユーザ操作により（すなわち手動で）選択されたＳＮＳへ撮影画像を投稿して、図８の処理を終了する。
【００６５】
＜静止画撮影時のアシスト機能＞
また、カメラ２０では、静止画の撮影時において、撮影画像を投稿するＳＮＳを自動で選択し、選択したＳＮＳに応じた構図を示す枠をスルー画に重畳して表示部４４に表示することで、撮影をアシストするようにしてもよい。以下、このアシスト機能について説明する。
【００６６】
図９は、静止画撮影処理の流れを例示するフローチャートである。制御部４３は、静止画撮影モードに設定されると、静止画撮影処理を実行するためのプログラムを起動して、図９に例示する静止画撮影処理を開始する。
【００６７】
ステップＳ１００において、制御部４３は、撮像素子４２に所定のフレームレートでスルー画用の撮像処理を行わせ、撮像素子４２から出力される画像信号に基づくスルー画を表示部４４に表示させるスルー画表示処理を開始する。
【００６８】
ステップＳ１０１において、制御部４３は、カメラ２０に登録されたＳＮＳの中から撮影画像を投稿するＳＮＳを１つ選択するＳＮＳ選択処理を行う。ＳＮＳの選択方法としては、上述した選択方法のどれを用いてもよい。ここでは、撮影シーンに基づいてＳＮＳを選択する方法を用いる場合を一例として以下説明する。この場合、制御部４３は、撮像素子４２から出力される画像信号（すなわちスルー画用の画像信号）に基づいて撮影シーンを自動判別し、判別結果に基づいてＳＮＳを選択する。なお、ユーザ操作によって予め選択された撮影シーンに基づいてＳＮＳを選択してもよい。
【００６９】
ステップＳ１０２において、制御部４３は、ステップＳ１０１で選択したＳＮＳを示すＳＮＳアイコンをスルー画に重畳して表示部４４に表示する。図１０は、ＳＮＳアイコンを表示した表示画面の一例を示す図である。図１０では、撮影シーンが料理であり、料理レシピ用ＳＮＳが選択されており、スルー画Ｐｓの左上隅に、スルー画Ｐｓを閲覧し難くならないような大きさで、料理レシピ用ＳＮＳを示すＳＮＳアイコンＳ２が表示されている。
【００７０】
ステップＳ１０３において、制御部４３は、ステップＳ１０１で選択したＳＮＳに投稿する画像の構図として推奨する構図を決定する構図決定処理を行う。この推奨する構図を決定する方法として、以下の３通りの方法を例示する。
【００７１】
１．ステップＳ１０１で選択したＳＮＳのジャンルに応じて構図を決定する
制御部４３は、ステップＳ１０１で選択したＳＮＳのジャンルに適した構図を、推奨する構図として決定する。たとえば、ステップＳ１０１で選択したＳＮＳが料理レシピ用ＳＮＳである場合は、ジャンルが料理であるので、料理の撮影に適した構図（たとえば、料理をアップで撮影するなど）を推奨する構図として決定する。
【００７２】
２．ステップＳ１０１で選択したＳＮＳに対応する画像のアスペクト比に応じて構図を決定する
ＳＮＳによっては、投稿可能な画像のアスペクト比が定められていたり、推奨する画像のアスペクト比が定められていたりする場合がある。たとえば、カメラ２０で撮影可能なアスペクト比が３：２であるのに対して、特定のＳＮＳでは画像のアスペクト比が１：１に設定されている場合などである。そこで、制御部４３は、ステップＳ１０１で選択したＳＮＳに対応するアスペクト比となるように構図を決定する。
【００７３】
３．ステップＳ１０１で選択したＳＮＳが提供するＷｅｂサイトのスクロール方向に応じて構図を決定する。
制御部４３は、ステップＳ１０１で選択したＳＮＳが提供するＷｅｂサイトのスクロール方向が横スクロールである場合は、横長の画像となるように構図を決定し、縦スクロールである場合は、縦長の画像となるように構図を決定する。
【００７４】
以上説明した構図の決定は、上記３通りの決定方法のうちいずれか１つの決定方法によってのみ決定してもよいし、２つ以上の決定方法を組み合わせてもよい。なお、構図を決定する際に用いるＳＮＳのジャンルやアスペクト比については、ＳＮＳ自体の情報を用いてもよいし、ＳＮＳにおいてユーザのアカウント情報に対応付けられた情報を用いてもよい。
【００７５】
ステップＳ１０４において、制御部４３は、ステップＳ１０３で決定した構図を示す構図枠をスルー画に重畳して表示部４４に表示する。図１１は、構図枠Ｆｒを表示した表示画面の一例を示す図である。たとえば、選択したＳＮＳが横スクロールのＷｅｂサイトを提供する場合には、図１１（ａ）に示すように横長の構図を示す構図枠Ｆｒがスルー画Ｐｓに重畳して表示される。一方、選択したＳＮＳが縦スクロールのＷｅｂサイトを提供する場合には、図１１（ｂ）に示すように縦長の構図を示す構図枠Ｆｒがスルー画Ｐｓに重畳して表示される。このように、ＳＮＳに適した構図を示す構図枠Ｆｒをスルー画Ｐｓに重畳することで、撮影前の段階でＳＮＳに適した構図をユーザに報知することができ、ユーザはＳＮＳに適した構図を考慮して静止画の撮影を行うことができる。
【００７６】
ステップＳ１０５において、制御部４３は、ユーザにより、静止画の撮影指示が行われたか否かを判定する。制御部４３は、静止画の撮影指示が行われるまでステップＳ１０５を否定判定してステップＳ１０５の処理を繰り返し、ユーザによりシャッターボタンが押下されて静止画の撮影が指示されると、ステップＳ１０５を肯定判定してステップＳ１０６へ進む。
【００７７】
ステップＳ１０６において、制御部４３は、静止画の撮影指示時点で撮像素子４２から出力された画像信号に基づいて静止画を生成する静止画撮影処理を行う。
【００７８】
ステップＳ１０７において、制御部４３は、ステップＳ１０６で生成された静止画から構図枠Ｆｒで示される範囲の画像を切り出した（すなわちトリミングした）画像を、投稿用画像として生成する。図１２は、投稿用画像Ｐｔの一例を示す図である。図１２（ａ）は、たとえば図１１（ａ）に示したように構図枠Ｆｒが表示されていた場合の投稿用画像Ｐｔの一例である。図１２（ｂ）は、たとえば図１１（ｂ）に示したように構図枠Ｆｒが表示されていた場合の投稿用画像Ｐｔの一例である。
【００７９】
ステップＳ１０８において、制御部４３は、ステップＳ１０６で生成された静止画とステップＳ１０７で生成された投稿用画像とを関連付けてメモリカード４５に記録する。
【００８０】
ステップＳ１０９において、制御部４３は、通信部４８を制御して、ステップＳ１０７で生成された投稿用画像を、ステップＳ１０１で選択したＳＮＳへ投稿して、図９の処理を終了する。
【００８１】
なお、ステップＳ１０７において、制御部４３は、上記投稿用画像に対し、ステップＳ１０１で選択したＳＮＳに応じた画像処理を施すようにしてもよい。たとえば、上記選択したＳＮＳがポートレート用ＳＮＳの場合は人物の肌をきれいに見せるための画像処理を施してもよい。また、ステップＳ１０７において、制御部４３は、上記投稿用画像を、上記選択したＳＮＳに応じた画質設定（ファイル形式および画像サイズ）に変換するようにしてもよい。また、静止画をＲＡＷ形式で保存する場合、制御部４３は、トリミングや画像処理等を施していない画像をＲＡＷ形式で保存し、それとは異なる処理として、投稿用画像としてＪＰＥＧ形式に現像処理をし、トリミング等の処理を施して投稿用画像を生成するようにしてもよい。その結果、メモリカード４５にはＲＡＷ形式で保存された画像を残すことができる。これにより、たとえば料理用ＳＮＳに投稿した画像を、後日ＲＡＷ形式で保存された画像を日常系ＳＮＳに適した形式に現像し画質設定等を行うことで、投稿用画像を生成することができる。また、静止画をＪＰＥＧ形式で保存する場合においては、制御部４３は、トリミングや画像処理等を施していない画像と、トリミング等の処理を施した投稿用画像とをメモリカード４５に保存するようにしてもよい。
【００８２】
また、静止画の再生中において、図９と同様の処理を行うようにしてもよい。この場合は、制御部４３は、再生中の静止画に重畳して構図枠を表示し、ユーザ操作により投稿用画像の生成が指示されると、構図枠によって静止画をトリミングして投稿用画像を生成する。
【００８３】
＜撮影中のＳＮＳ表示機能＞
上述したアシスト機能では、静止画の撮影時に撮影画像を投稿するＳＮＳを１つ選択する例について説明したが、撮影画像の投稿先として推奨するＳＮＳを複数選択してもよい。この場合は、制御部４３は、構図枠の表示は行わず、推奨する複数のＳＮＳをそれぞれ示すＳＮＳアイコンをスルー画に重畳して表示する。これにより、ユーザに、撮影画像の投稿先としておすすめのＳＮＳを報知することができる。
【００８４】
また、制御部４３は、動画の撮影時においても、録画中の動画の投稿先として推奨するＳＮＳをユーザに報知するようにしてもよい。たとえば、制御部４３は、動画の記録中において、録画時間が所定時間（たとえば６秒など）未満である場合には、短時間動画ＳＮＳを示すＳＮＳアイコンをスルー画に重畳して表示部４４に表示する。そして、制御部４３は、録画時間が所定時間以上となると、長時間動画ＳＮＳを示すＳＮＳアイコンをスルー画に重畳して表示部４４に表示する。
【００８５】
なお、静止画または動画の再生中において、上述と同様に、撮影画像の投稿先として推奨するＳＮＳを表示する処理を行うようにしてもよい。この場合は、ＳＮＳアイコンを再生画像に重畳して表示する。
【００８６】
上述した実施の形態によれば、次の作用効果が得られる。
（１）カメラ２０において、制御部４３は、撮影画像に関する関連情報（メタデータ）に基づいて、複数のＳＮＳの中から少なくとも１つのＳＮＳを選択し、通信部４８を制御して、当該選択したＳＮＳに撮影画像を投稿する。これにより、撮影画像を適切なＳＮＳへ投稿することができる。
【００８７】
（２）カメラ２０において、制御部４３は、上記選択したＳＮＳに応じた構図を決定し、決定した構図を示す構図情報（構図枠）を表示部４４に表示する。これにより、ＳＮＳに投稿する画像の構図として適した構図をユーザに報知することができる。
【００８８】
（３）カメラ２０において、制御部４３は、撮影画像から構図枠に応じた範囲の画像を切り出して投稿用画像を生成し、上記選択したＳＮＳに投稿する。これにより、ＳＮＳに適した構図の撮影画像を投稿することができる。
【００８９】
（４）カメラ２０において、制御部４３は、上記選択したＳＮＳを優先的に表示し、ユーザ操作により指定されたＳＮＳに撮影画像を投稿する。これにより、ユーザは、撮影画像を投稿するＳＮＳを選択する際に、撮影画像に適したＳＮＳを確認することができる。
【００９０】
（変形例１）
上述した実施の形態では、カメラ２０を例に説明したが、たとえば、携帯電話機、スマートフォン、タブレット端末などの電子機器に適用しても構わない。
【００９１】
（変形例２）
上述した実施の形態では、撮影画像をＳＮＳに投稿する（送信する）場合を例に説明したが、ＳＮＳへの投稿に限らず、外部機器へ転送する場合に適用しても構わない。
【００９２】
上記では、種々の実施の形態および変形例を説明したが、本発明はこれらの内容に限定されるものではない。本発明の技術的思想の範囲内で考えられるその他の態様も本発明の範囲内に含まれる。
【符号の説明】
【００９３】
１０…ＳＮＳシステム、１２…サーバ、１６…ネットワーク、１８…アクセスポイント、２０…カメラ、４１…撮影光学系、４２…撮像素子、４３…制御部、４４…表示部、４５…メモリカード、４６…操作部、４７…フラッシュメモリ、４８…通信部、４９ａ…位置検出部、４９ｂ…姿勢検出部
【図１】
2015220616.tif 000003
【図２】
2015220616.tif 000004
【図３】
2015220616.tif 000005
【図４】
2015220616.tif 000006
【図５】
2015220616.tif 000007
【図６】
2015220616.tif 000008
【図７】
2015220616.tif 000009
【図８】
2015220616.tif 000010
【図９】
2015220616.tif 000011
【図１０】
2015220616.tif 000012
【図１１】
2015220616.tif 000013
【図１２】
2015220616.tif 000014